(57)【要約】【課題】  筺体の一部に従来のプラスチックや金属の筺体とは異なる質感や付加機能を与えることができるとともに、カバー部材の端部めくれ等がない筺体の外観を維持することができる及びカバー部材を提供する。【解決手段】  携帯型の電子機器（携帯電話機）１０は、筺体１００の表面の一部に装着されたカバー部材２００を備える。カバー部材２００は、筺体１００の一部のカバー装着対象表面に沿うように変形可能な革又は布等の素材で形成されたカバー部材本体２１０と、筺体１００のカバー装着対象表面に装着されたカバー部材本体２１０の外周端部を押さえるようにカバー装着対象表面の外周端部に装着された枠体（金属フレーム）２２０とを備える。【選択図】  図１
2009021738.tif 000002
【特許請求の範囲】
【請求項１】
筺体の表面の一部に装着されたカバー部材を備えた携帯型の電子機器であって、
前記カバー部材は、
前記筺体の一部のカバー装着対象表面に沿うように変形可能な素材で形成されたカバー部材本体と、
前記筺体のカバー装着対象表面に装着された前記カバー部材本体の外周端部を押さえるように該カバー装着対象表面の外周端部に装着された枠体と
を備えたことを特徴とする電子機器。
【請求項２】
請求項１の電子機器において、
前記枠体が金属で形成されていることを特徴とする電子機器。
【請求項３】
請求項１又は２の電子機器において、
前記カバー部材本体が革又は布で形成されていることを特徴とする電子機器。
【請求項４】
請求項１又は２の電子機器において、
前記カバー部材本体が、当該電子機器の本体から受けた電気信号で画像を表示する画像表示フィルムで形成されていることを特徴とする電子機器。
【請求項５】
請求項１又は２の電子機器において、
前記カバー部材本体が、光を受けて発電した電流を当該電子機器の本体に供給する光発電フィルムで形成されていることを特徴とする電子機器。
【請求項６】
請求項１、２、３、４又は５の電子機器において、
前記カバー部材が前記筺体に着脱自在に装着されていることを特徴とする電子機器。
【請求項７】
携帯型の電子機器の筺体の表面の一部に装着されるカバー部材であって、
前記筺体の一部のカバー装着対象表面に沿うように変形可能な素材で形成されたカバー部材本体と、
前記筺体のカバー装着対象表面に装着された前記カバー部材本体の端部を押さえるように該カバー装着対象表面の外周端部に装着された枠体とを備え、
前記電子機器の筺体の一部に装着されるときの形態で前記カバー部材本体の外周端部と前記枠体とが固定されていることを特徴とするカバー部材。
【請求項８】
請求項７のカバー部材において、
前記電子機器の筺体に着脱自在に構成されていることを特徴とするカバー部材。
【発明の詳細な説明】
【技術分野】
【０００１】
本発明は、携帯電話機等の携帯型の電子機器及びその筺体の一部に装着されるカバー部材に関するものである。
【背景技術】
【０００２】
従来、この種の携帯型の電子機器として、筺体表面の一部にプラスチックや金属のカバー部材を装着した携帯電話機が知られている。また、このカバー部材を交換することにより色、模様、形状等を変更できる携帯電話機も知られている。
【発明の開示】
【発明が解決しようとする課題】
【０００３】
近年の利用者の趣味・嗜好の多様化に伴い、携帯電話機の筺体の質感や機能についても従来なかったものが望まれるようになってきている。例えば、携帯電話機の筺体表面に設けるカバー部材として、従来のプラスチックや金属の筺体とは異なる高級感のある質感を与えることができる革や布等の素材からなる部材を装着することが考えられる。また、上記カバー部材として、携帯電話機の筺体表面に装飾的な機能以外の付加的な機能を与えることができるフィルム等の素材からなる部材を装着することも考えられる。しかしながら、このような革、布、フィルム等の素材のカバー部材は柔軟性を有することにより、筺体表面から部分的に浮いたり端部がめくれたりしやすいため、その携帯電話機の筺体の外観を維持することが難しいという問題点がある。
【０００４】
本発明は以上の問題点に鑑みなされたものであり、その目的は、筺体の一部に従来のプラスチックや金属の筺体とは異なる質感や付加機能を与えることができるとともに、カバー部材の端部めくれ等がない筺体の外観を維持することができる携帯型の電子機器及びカバー部材を提供することである。
【課題を解決するための手段】
【０００５】
本発明に係る電子機器は、筺体の表面の一部に装着されたカバー部材を備えた携帯型の電子機器であって、前記カバー部材は、前記筺体の一部のカバー装着対象表面に沿うように変形可能な素材で形成されたカバー部材本体と、前記筺体のカバー装着対象表面に装着された前記カバー部材本体の外周端部を押さえるように該カバー装着対象表面の外周端部に装着された枠体とを備える。
この電子機器では、筺体の表面の一部に装着されるカバー部材本体として、筺体の一部のカバー装着対象表面に沿うように変形可能な素材で形成されたものを装着することにより、カバー部材本体をカバー装着対象表面に密着させることができるので、カバー装着対象表面からのカバー部材本体の部分的な浮きを防止できる。また、その筺体のカバー装着対象表面に装着されたカバー部材本体の外周端部を押さえるようにカバー装着対象表面の外周端部に枠体を装着することにより、カバー装着対象表面からのカバー部材本体の外周端部のめくれを防止できるとともに、そのめくれや上記部分的な浮きのないカバー部材本体の形態を維持することができる。しかも、上記筺体の一部のカバー装着対象表面に沿うように変形可能な素材として、従来のプラスチックや金属の筺体とは異なる質感を与えることができる革や布等の素材を選択したり、従来の単なるプラスチックや金属の筺体とは異なる機能を付加したフィルム等の素材を選択したりすることができるため、従来のプラスチックや金属の筺体とは異なる質感や付加機能を筺体の一部に与えることができる。
前記電子機器において、前記枠体は金属で形成されていてもよい。この場合は、外部の硬い物体にぶつかって傷が付いたり変形したりしやすい筺体のカバー装着対象表面の外周端部を、金属からなる枠体で保護できるため、筺体の損傷を防止するとともに筺体全体の強度を高めることができる。また、プラスチックと比較して密度の高い金属を枠体に用いることにより、電子機器に適度な重量感を与えることができる。
また、前記電子機器において、前記カバー部材本体は革又は布で形成されていてもよい。この場合は、筺体の一部に革又は布で形成されたカバー部材本体を装着することにより、従来の従来のプラスチックや金属の筺体とは異なる柔らかさや肌触りなどの質感を筺体に与えることができる。
また、前記電子機器において、前記カバー部材本体は、当該電子機器の本体から受けた電気信号で画像を表示する画像表示フィルムで形成されていてもよい。この場合は、上記画像表示フィルムを筺体の一部に装着することにより、電子機器の本体から受けた電気信号で画像を表示するという、従来のプラスチックや金属の筺体とは異なる画像表示の付加機能を筺体に一部に持たせることができる。
また、前記電子機器において、前記カバー部材本体は、光を受けて発電した電流を当該電子機器の本体に供給する光発電フィルムで形成されていてもよい。この場合は、上記光発電フィルムを筺体の一部に装着することにより、従来のプラスチックや金属の筺体とは異なる光発電の付加機能を筺体に一部に持たせることができる。
また、前記電子機器において、前記カバー部材は前記筺体に着脱自在に装着されていてもよい。この場合は、利用者の好みに応じて筺体の一部に装着したカバー部材を交換することにより、その筺体の一部の質感や付加機能を変更することができる。また、そのカバー部材でカバーされた筺体のカバー装着対象表面に利用者がアクセスしたい電池等の部品がある場合には、上記カバー部材を取り外して当該部品に容易にアクセスすることができる。
【０００６】
本発明に係るカバー部材は、携帯型の電子機器の筺体の表面の一部に装着されるカバー部材であって、前記筺体の一部のカバー装着対象表面に沿うように変形可能な素材で形成されたカバー部材本体と、前記筺体のカバー装着対象表面に装着された前記カバー部材本体の端部を押さえるように該カバー装着対象表面の外周端部に装着された枠体とを備え、前記電子機器の筺体の一部に装着されるときの形態で前記カバー部材本体の外周端部と前記枠体とが固定されているものである。
このカバー部材では、筺体の一部のカバー装着対象表面に装着されるカバー部材本体が、そのカバー装着対象表面に沿うように変形可能な素材で形成されたものであることにより、カバー部材本体をカバー装着対象表面に密着させることができるので、カバー装着対象表面からのカバー部材本体の部分的な浮きを防止できる。また、その筺体のカバー装着対象表面に装着されたカバー部材本体の外周端部を押さえるようにカバー装着対象表面の外周端部に枠体を装着することにより、カバー装着対象表面からのカバー部材本体の外周端部のめくれを防止できるとともに、そのめくれや上記部分的な浮きのないカバー部材本体の形態を維持することができる。しかも、上記筺体の一部のカバー装着対象表面に沿うように変形可能な素材として、従来のプラスチックや金属の筺体とは異なる質感を与えることができる革や布等の素材を選択したり、従来の単なるプラスチックや金属の筺体とは異なる機能を付加したフィルム等の素材を選択したりすることができるため、従来のプラスチックや金属の筺体とは異なる質感や付加機能を筺体の一部に与えることができる。
前記カバー部材において、前記電子機器の筺体に着脱自在に構成されていてもよい。この場合は、利用者の好みに応じて筺体の一部に装着したカバー部材を交換することにより、その筺体の一部の質感や付加機能を変更することができる。また、そのカバー部材でカバーされた筺体のカバー装着対象表面に利用者がアクセスしたい電池等の部品がある場合には、上記カバー部材を取り外して当該部品に容易にアクセスすることができる。
【発明の効果】
【０００７】
本発明によれば、筺体の一部に従来のプラスチックや金属の筺体とは異なる質感や付加機能を与えることができるとともに、カバー部材の端部めくれ等がない筺体の外観を維持することができるという効果がある。
【発明を実施するための最良の形態】
【０００８】
以下、本発明を電子機器としての携帯電話機に適用した実施形態について説明する。
図１（ａ）及び（ｂ）はそれぞれ本実施形態に係る携帯電話機の一例を示す正面図及び側面図である。本実施形態の携帯電話機１０は、筺体１００のおもて面１０１Ｆに、各種画像や文字などの情報を表示する表示手段としての表示部１１０と、各種処理を指示したり各種データを入力したりするときに利用者によって操作される複数のキーを有するキー操作部１２０と、音出力手段としてのスピーカ１３０と、音入力手段としてのマイク１４０と、図示しない撮像手段としてのカメラ部とを備えている。これらの表示部１１０、キー操作部１２０、スピーカ１３０、マイク１４０及びカメラ部は、所定のデータ処理部や駆動部を介して図示しない内蔵の主制御部に接続されている。
【０００９】
上記主制御部は、例えばＣＰＵ、キャッシュメモリ、ＲＯＭ、システムバス等で構成され、所定の制御プログラムを実行することにより、同じく図示しない記憶装置としての内部メモリや通信手段としての無線通信部等の各部との間でデータの送受信を行ったり、上記表示部１１０などの各部を制御したりする。上記無線通信部及びアンテナは、電話の通信手段のほかメールを送受信する手段としても機能する。また、上記内部メモリは、例えばＲＡＭやＲＯＭなどの半導体メモリで構成され、主制御部で実行する制御プログラムや各種データを記憶するものである。なお、これらの記憶手段としては、内部メモリではなく、携帯電話機本体に着脱可能なメモリーカード、ＩＣカード等の記憶媒体を用いてもよい。
【００１０】
上記表示部１１０は、液晶パネル等からなるディスプレイで構成され、図示しない表示制御部により、主制御部から送られてきた描画データに基づいて画像を表示するように制御される。上記キー操作部１２０は、テンキー、ソフトキー、通話開始キー、終話キー、方向キー、文字切換キー、メール機能キー、インターネット接続キー等で構成される。上記スピーカ１３０は、図示しない音信号処理部でデジタル信号から変換されたアナログ信号が入力され、通話中の音声を出力したり、メールの着信音、電話の呼び出し音、音楽などを出力したりする。なお、スピーカ１３０は、通話中の音声を聞くための受話器用スピーカ（レシーバ）と、着信音や音楽などを出力する外部出力用スピーカとを別々に設けて構成してもよいし、これらの受話器用スピーカ及び外部出力用スピーカを兼用するように一つのスピーカで構成してもよい。マイク１４０は、利用者の音声を電気信号（アナログ信号）に変換する。マイク１４０から出力される音声の電気信号（アナログ信号）は、図示しない音信号処理部に入力され、デジタル信号に変換される。
【００１１】
また、図１（ｂ）に示すように、本実施形態の携帯電話機１０は、筺体１００の表面の一部である背面１０１Ｒ側に、カバー部材２００が装着されている。このカバー部材２００は、筺体１００のカバー装着対象表面に沿うように変形可能な革素材で形成されたカバー部材本体としてのレザーシート２１０と、そのカバー装着対象表面に装着されたレザーシートの外周端部を押さえるようにカバー装着対象表面の外周端部に装着された枠体としての金属フレーム２２０とを備えている。
【００１２】
図２は、本実施形態の携帯電話機１０の背面図であり、図３は、図２中の切断面Ａ−Ａを矢印方向から見た断面図である。図２において、筐体１１０の背面１０１Ｒには、撮像手段としてのカメラレンズ開口部２１１が図示される。なお、図３の断面図において、内部の詳細な構造は省略する。図２及び３に示すように、携帯電話機１０の筐体１００は、おもて面１０１Ｆ側の前面筐体１０２と、側面の全体を囲むように設けられた側面筐体１０３と、背面１０１Ｒ側の背面筐体１０４とを用いて構成されている。側面筐体１０３の内側には内部フレーム１０５が設けられている。背面筐体１０４の外側の面は、カバー部材２００のレザーシート２１０が装着されるカバー装着対象表面１０４ａになっている。また、内蔵のカメラ部の受光経路には、光透過性の窓材１５１が取り付けられた光通過用の開口１０４ｂが形成されている。そして、レザーシート２１０の光通過用の開口１０４ｂに対応する部分にも開口２１１が形成され、これにより、受光経路が確保され、カメラ部による撮影に支障がないようになっている。
【００１３】
上記レザーシート２１０は、その外周端縁が内部フレーム１０５の溝に挿入され、背面筐体１０４のカバー装着対象表面１０４ａに接するように装着される。そして、このレザーシート２１０の露出した外周端部の側面に所定の接着剤２３０を付着させた後、金属フレーム２２０が装着される。この金属フレーム２２０は、レザーシート２１０をカバー装着対象表面１０４ａに密着させるようにレザーシート２１０に若干テンションを与えながら、レザーシート２１０の外周端部をカバー装着対象表面１０４ａの表面側に押さえ付けるように、カバー装着対象表面１０４ａの外周端部に装着される。この金属フレーム２２０の内側に押さえ付ける力と上記接着剤２３０とにより、レザーシート２１０及び金属フレーム２２０が、筐体１０３、１０４や内部フレーム１０５に固定され容易に外れないようになっている。
なお、本実施形態においてはレザーシート２１０を接着剤２３０により内部フレーム１０５に接着する例を示したが、これに限られることなく、例えば接着剤２３０をカバー装着対象表面１０４ａ全面に塗布した上、接着するようにしてもよい。
【００１４】
以上、本実施形態によれば、筺体の表面の一部である背面筐体１０４に装着されるカバー部材本体として、背面筐体１０４のカバー装着対象表面１０４ａに沿うように変形可能な革素材で形成されたレザーシート２１０を装着することにより、レザーシート２１０をカバー装着対象表面１０４ａに密着させることができるので、カバー装着対象表面１０４ａからのレザーシート２１０の部分的な浮きを防止できる。また、その筺体のカバー装着対象表面１０４ａに装着されたレザーシート２１０の外周端部を押さえるようにカバー装着対象表面１０４ａの外周端部に金属フレーム２２０を装着することにより、カバー装着対象表面１０４ａからのレザーシート２１０の外周端部のめくれを防止できるとともに、そのめくれや上記部分的な浮きのないレザーシート２１０の形態を維持することができる。しかも、上記筺体の一部のカバー装着対象表面１０４ａに沿うように変形可能な素材として、レザーシート２１０を選択しているので、従来のプラスチックや金属の筺体とは異なり、質感を向上させた高級感を筺体の一部に与えることができる。
【００１５】
特に、本実施形態では、上記レザーシート２１０を筺体に固定させる枠体として真鍮やアルミ等の金属素材からなる金属フレーム２２０を用いているので、外部の硬い物体にぶつかって傷が付いたり変形したりしやすい筺体のカバー装着対象表面１０４ａの外周端部を、金属フレーム２２０で保護できるため、筺体の損傷を防止するとともに筺体全体の強度を高めることができる。また、プラスチックと比較して密度の高い金属からなる金属フレーム２２０を用いることにより、携帯電話機１０に適度な重量感を与えることができる。
【００１６】
また特に、本実施形態では、カバー部材２００のカバー部材本体として革の素材からなるレザーシート２１０を用いているので、従来の従来のプラスチックや金属の筺体とは異なる柔らかさや肌触りなどの質感を筺体に与えることができる。
【００１７】
なお、上記実施形態において、カバー部材２００のカバー部材本体として布の素材を用いてもよい。この場合も、従来の従来のプラスチックや金属の筺体とは異なる柔らかさや肌触りなどの質感を筺体に与えることができる。特に、携帯電話機１０の利用者が着用する服と同質の素材からなる布を用いた場合は、利用者の服と携帯電話機１０の筺体表面との間のいわゆる「柄合わせ」や「模様合わせ」をすることができる。
【００１８】
また、上記実施形態において、カバー部材２００のカバー部材本体として、携帯電話機１０の本体から受けた電気信号で画像を表示する画像表示フィルムを装着してもよい。この画像表示フィルムとしては、例えば、表示画像を切り換えるための描画用駆動信号を受けることで表示画像が変化し、且つ、その画像の表示状態を無給電状態でも維持可能な電子ペーパを用いることができる。この電子ペーパは例えばコレステリック液晶等の強誘電性液晶で形成することができる。このような画像表示フィルムを装着する場合は、画像表示フィルム及び筺体のカバー装着対象表面の互いに対向する部分に、画像表示用の電気信号や表示画像書き換え用の電気信号を携帯電話機本体側から画像表示フィルム側に伝送するための電極を設ける。この場合は、携帯電話機の本来の情報や画像を表示する表示部１１０とは別に、装飾用の模様などの画像を表示するという付加機能を筐体表面に付与することができる。
【００１９】
また、上記実施形態において、カバー部材２００のカバー部材本体として、光を受けて発電した電流を携帯電話機本体に供給する光発電フィルムを装着してもよい。この光発電フィルムとしては、例えば高分子フィルム上にアモルファスシリコンの薄膜からなるフィルム型の太陽電池を用いることができる。このような光発電フィルムを装着する場合は、光発電フィルム及び筺体のカバー装着対象表面の互いに対向する部分に、光発電フィルムで発生した電流を携帯電話機本体側に供給するための電極を設ける。携帯電話機本体側で受けた電流は、携帯電話機の動作や内蔵電池の充電等に用いることができる。この場合は、太陽光などの光によって発電するという付加機能を筐体表面に付与することができる。
【００２０】
また、上記実施形態において、上記レザーシート２１０などのカバー部材本体と金属フレーム２２０からなるカバー部材２００は、携帯電話機１０の本体に対して着脱自在に構成してもよい。この場合は、利用者の好みに応じて筺体の例えば背面に装着したカバー部材２００を交換することにより、その筺体の背面の質感や付加機能を変更することができる。また、そのカバー部材２００でカバーされた筺体の背面に利用者がアクセスしたい電池等の部品がある場合には、カバー部材２００を取り外して当該部品に容易にアクセスすることができる。
【００２１】
図４は、上記着脱自在に構成したカバー部材２００の一構成例を示す断面図である。このカバー部材２００は、筐体のカバー装着対象表面１０４ａに沿って装着された形態の状態でカバー部材本体としてのレザーシート２１０の外周端部の側面と、枠体としての金属フレーム２２０の内周面とが接着剤等で固定されている。そして、このレザーシート２１０と金属フレーム２２０とが一体となったカバー部材２０を、携帯電話機１０の背面筐体１０４のカバー装着対象表面１０４ａに嵌合させるように装着される。このカバー部材２０は、利用者の通常の操作によっては背面筐体１０４のカバー装着対象表面１０４ａから外れない程度に、カバー装着対象表面１０４ａに嵌合している。カバー部材２０を取り外すときは、例えば、携帯電話機１０の側面からカバー部材２０の金属フレーム２２０と側面筐体１０３との間にマイナスドライバー等を差し込んで両者が離れるように抉る。なお、カバー部材２０の固定は、上記背面筐体１０４のカバー装着対象表面１０４ａに対する嵌合ではなく、例えば側面筐体１０３に設けたカバー部材２０の固定機構を用いて行ってもよい。
【００２２】
また、上記実施形態では、上記レザーシート２１０を筺体に固定させる枠体として金属フレーム２２０を用いて場合について説明したが、所定の強度が得られるものであれば、金属以外の素材をカバー部材２００の枠体に用いてもよい。
また、上記実施形態では、カメラ部の受光経路が確保されるように、レザーシート２１０の対応する箇所に光通過用の開口２１１を形成しているが、背面ディスプレイを有する場合には、その背面サブディスプレイの表示を視認できるようにレザーシート２１０の対応する箇所に背面サブディスプレイ用の開口を形成する。
また、上記実施形態では、携帯電話機１０に適用した場合について説明したが、本発明は、携帯電話機以外の他の携帯型の電子機器にも適用することができる。例えば、ＰＨＳ（Personal Handyphone System）やＰＤＡ（Personal Digital Assistance）、ノート型パーソナルコンピュータ、携帯型ゲーム機器などの電子機器にも提供することができ、同様な効果を得ることができる。
【図面の簡単な説明】
【００２３】
【図１】（ａ）及び（ｂ）はそれぞれ、本発明の実施形態に係る携帯電話機の正面図及び側面図。
【図２】同携帯電話機の背面図。
【図３】図２中の切断面Ａ−Ａを矢印方向から見た断面図。
【図４】他の実施形態に係るカバー部材及び携帯電話機の断面図。
【符号の説明】
【００２４】
１０    携帯電話機
１００  筺体
１０２  前面筺体
１０３  側面筺体
１０４  背面筺体
１０４ａ  カバー装着対象表面
２００  カバー部材
２１０  レザーシート
２２０  金属フレーム
【図３】
2009021738.tif 000003
【図４】
2009021738.tif 000004
【図１】
2009021738.tif 000005
【図２】
2009021738.tif 000006